【手続補正書】
【提出日】平成17年4月8日(2005.4.8)
【手続補正１】
【補正対象書類名】特許請求の範囲
【補正対象項目名】全文
【補正方法】変更
【補正の内容】
【特許請求の範囲】
【請求項１】
パケット・データ伝送を多重化する方法であって、
第１のネットワーク要素に識別子を割り当てる工程と、
少なくとも第２のネットワーク要素において、前記識別子を複数のデータ・パケットに関連づける工程と、
少なくとも第３のネットワーク要素において、前記複数のデータ・パケットについて前記識別子を認識する工程と、
前記複数のデータ・パケットを集約する工程と、
前記データ・パケットをバンドル化したものを前記第１のネットワーク要素にアドレス指定する工程とを含む方法。
【請求項２】
前記第３のネットワーク要素がパケット・データ・マルチプレクサを含む、請求項１に記載の方法。
【請求項３】
前記パケット・データ・マルチプレクサがルータを含む、請求項２に記載の方法。
【請求項４】
前記複数のデータ・パケットを集約解除する工程と、
第１の前記複数のデータ・パケットを第１の受信側通信装置に渡す工程と、
第２の前記複数のデータ・パケットを第２の受信側通信装置に渡す工程とをさらに含む、請求項２に記載の方法。
【請求項５】
前記識別子が、前記識別子を伝達すること以外の目的で少なくとも第１のプロトコルに関連して確立されたフィールドを用いて伝達される、請求項１に記載の方法。
【請求項６】
前記識別子が仮想ローカル・エリア・ネットワーク識別子を含む、請求項１に記載の方法。
【請求項７】
前記識別子を前記データ・パケットに対するメディア・アクセス制御の一部として書き込むことによって、前記仮想ローカル・エリア・ネットワーク識別子が前記データ・パケットに関連づけられる、請求項６に記載の方法。
【請求項８】
前記識別子がＤｉｆｆＳｅｒｖコード・ポイントを含む、請求項１に記載の方法。
【請求項９】
前記識別子が資源予約プロトコル要求を含む、請求項１に記載の方法。
【請求項１０】
複数のデータ・パケットを前記識別子に関連づける前記工程が、前記識別子を第１の発信側通信装置内の第１のデータ・パケットに関連づける工程と、前記識別子を第２の発信側通信装置内の第２のデータ・パケットに関連づける工程とを含む、請求項１に記載の方法。
【請求項１１】
パケット・データ伝送を多重化するシステムであって、
データ・パケットを形成し、既存データ・フィールドを用いて前記データ・パケットに識別子で印をつける少なくとも第１の通信装置手段と、
前記識別子に関連づけられた第１および第２のデータ・パケットをスーパー・パケットに集約する第１の手段と、
前記集約する第１の手段を通信ネットワークに相互接続する手段であって、前記スーパー・パケットを遠隔サブネットワークに伝送することができる手段とを備えるシステム。
【請求項１２】
前記既存データ・フィールドがインターネット・プロトコル・アドレス・フィールドではない、請求項１１に記載のシステム。
【請求項１３】
遠隔サブネットワークを前記識別子に関連づける手段をさらに備える、請求項１１に記載のシステム。
【請求項１４】
前記スーパー・パケットを集約解除する手段をさらに備える、請求項１１に記載のシステム。
【請求項１５】
データ・パケットを第１のアドレスを有する第１のネットワーク要素にアドレス指定するヘッダ情報と、
第１のデータ消費側に関連づけられ、前記第１のアドレスとは異なる第１の識別子によって前記第１のネットワーク要素に関連づけられた第１のサブデータ・パケットと、
第２のデータ消費側にアドレス指定され、前記第１の識別子によって前記第１のネットワーク要素に関連づけられた第２のサブデータ・パケットとを含むデータ・パケット。
【請求項１６】
前記第１および第２のサブデータ・プロダクトが、ネットワーク要素の識別以外のために確立されたヘッダ・フィールド中に前記第１の識別子を含む、請求項１５に記載のデータ・パケット。
【請求項１７】
前記第１の識別子がインターネット・プロトコル・アドレスではない、請求項１５に記載のデータ・パケット。
【請求項１８】
前記データ・パケットのペイロードが前記第１および第２のサブパケットを含む、請求項１５に記載のデータ・パケット。
【請求項１９】
前記第１および第２のデータ・パケットそれぞれのペイロードがデータを含む、請求項１５に記載のデータ・パケット。
【請求項２０】
前記第１および第２のデータ・プロダクトそれぞれの前記データ・ペイロードが音声データを含む、請求項１９に記載のデータ・パケット。
【請求項２１】
第１の識別子で印がつけられ、前記第１の識別子以外の宛先アドレスを含む複数のパケットが受信されるインターフェースと、
オペレーティング・コードを実行するプロセッサであって、前記複数のデータ・パケットが、スーパー・パケットに集約されて引渡しのために前記インターフェースに提供されるプロセッサとを備える、データ・マルチプレクサ。
【請求項２２】
前記インターフェースが、第１の通信ネットワークからの入力と、ルータおよび第２の通信ネットワークの少なくとも１つへの出力とを備える、請求項２１に記載のデータ・マルチプレクサ。
【請求項２３】
前記オペレーティング・コードがソフトウェアを含むデータ記憶装置をさらに備える、請求項２１に記載のデータ・マルチプレクサ。
【請求項２４】
アドレス・フィールドに第１の宛先アドレスを、および第２のフィールドに第１の識別子を含む第１のデータ・パケットを受信する工程であって、前記第１の識別子が、第２の宛先アドレスを有する第１のネットワーク要素を識別し、前記第２のフィールドが、ネットワーク要素を識別する識別子を伝送すること以外の目的で、少なくとも第１のネットワーク・プロトコルによって識別される工程と、
アドレス・フィールドに前記第１の宛先アドレスおよび第２の宛先アドレスの少なくとも１つと、第２のフィールドに前記第１の識別子とを含む第２のデータ・パケットを受信する工程と、
前記第１および第２のデータ・パケットをペイロードとして含むスーパー・パケットを形成する工程であって、前記スーパー・パケットが前記第２の宛先アドレスをアドレス・フィールドに含む工程とを含む方法を実施する計算機構成要素。
【請求項２５】
前記第２のフィールドが仮想ローカル・エリア・ネットワーク識別子フィールドを含む、請求項２４に記載の方法。
【請求項２６】
前記第２のフィールドが区別化サービス・コード・ポイント・フィールドを含む、請求項２４に記載の方法。
【請求項２７】
前記第２のフィールドが資源予約プロトコル・フィールドを含む、請求項２４に記載の方法。
【請求項２８】
前記第２のフィールドが資源予約プロトコルのＤＣＬＡＳＳオブジェクト・フィールドを含む、請求項２４に記載の方法。
【請求項２９】
前記第２のフィールドがセッション開始プロトコル・フィールドを含む、請求項２４に記載の方法。
【請求項３０】
前記第１のネットワーク要素が遠隔サブネットワーク上のマルチプレクサを含む、請求項２４に記載の方法。
【請求項３１】
前記第１の宛先アドレスが前記遠隔サブネットワーク上のエンドポイントを含む、請求項３０に記載の方法。
【請求項３２】
前記第１および第２のデータ・パケットがそれぞれ、データを有するペイロードを含む、請求項２４に記載の方法。
【請求項３３】
前記計算機構成要素が、前記方法を実施する命令を搬送するコンピュータ可読記憶媒体を備える、請求項２４に記載の方法。
【請求項３４】
多重化するデータ・パケットを識別する方法であって、
第１のパケット・データ・フロー用の資源を予約する第１の要求を、第１のマルチプレクサで受信する工程と、
前記要求から、前記第１のデータ・パケット・フローの宛先を判定する工程と、
第２のパケット・データ・フロー用の資源を予約する第２の要求を、前記第１のマルチプレクサで受信する工程と、
前記要求から、前記第２のデータ・パケット・フローの宛先を判定する工程と、
第１のサブネットワーク上の宛先にアドレス指定されている前記第１および第２のデータ・パケット・フローに応答して、少なくとも前記第１のデータ・パケット・フローからの第１のデータ・パケットを、前記第２のデータ・パケット・フローからのデータ・パケットと集約して、スーパー・パケットを形成する工程と、
一度の資源予約の下で、前記スーパー・パケットを前記第１のサブネットワークに関連する第２のマルチプレクサに送信する工程とを含む方法。
【請求項３５】
資源を予約する前記第１の要求の受信に応答して、前記第１の要求を行う第１の通信装置に第１の識別子を提供する工程であって、前記第１の要求に関連づけられた、前記第１の通信装置からのデータ・パケットが前記第１の識別子で印をつけられる工程をさらに含む、請求項３４に記載の方法。
【請求項３６】
前記一度の資源予約が第１の量の資源を要求する、請求項３４に記載の方法。
【請求項３７】
第３のパケット・データ・フロー用の資源を予約する第３の要求を前記マルチプレクサで受信する工程であって、前記一度の予約が第２の量の資源を要求する工程をさらに含む、請求項３６に記載の方法。
【請求項３８】
多重化するデータ・パケットを識別する方法であって、
第１のパケット・データ・フローに関連づけられた少なくとも第１のセットアップ・パケットを第１のマルチプレクサで受信する工程と、
前記少なくとも第１のセットアップ・パケットから、前記第１のデータ・パケット・フローの宛先を判定する工程と、
第２のパケット・データ・フローに関連づけられた少なくとも第２のセットアップ・パケットを前記第１のマルチプレクサで受信する工程と、
前記少なくとも第２のセットアップ・パケットから、前記第２のデータ・パケット・フローの宛先を判定する工程と、
第１のサブネットワーク上の宛先にアドレス指定されている前記第１および第２のデータ・パケット・フローに応答して、前記第１のデータ・パケット・フローからの少なくとも第１のデータ・パケットを前記第２のデータ・パケット・フローからのデータ・パケットと集約して、スーパー・パケットを形成する工程と、
前記スーパー・パケットを前記第１のサブネットワークに関連する第２のマルチプレクサに送信する工程とを含む方法。
【請求項３９】
前記セットアップ・パケットが、セッション開始プロトコルおよびＨ．３２３プロトコル・パケットの少なくとも１つを含む、請求項３８に記載の方法。